(57)【特許請求の範囲】
【請求項１】
上部が開口された外ケースと、
該外ケースの内部に配設されて、上部開口された内ケースと、
前記外ケースと前記内ケースとを断熱的に連結して、商品取出口を形成する横枠体と縦枠体とからなる断熱枠体と、
該断熱枠体の外観を装う化粧枠体と、
前記化粧枠体の長手方向に沿って、当該化粧枠体に設けられた係合手段と、
前記縦枠体の長手方向に沿って、当該縦枠体に分岐して形成され前記外ケース側に開口した開口部を設ける上係合部と下係合部と、
前記断熱枠体により形成された商品取出口を開閉する蓋と、
前記内ケースを冷凍室として作用させる冷凍装置とを有し、
前記上係合部と前記下係合部とが、前記係合手段に押込み挿入されることにより前記化粧枠体と前記縦枠体とを係合させ、かつ、当該押込みを行う際に前記上係合部と前記下係合部とが撓むことにより当該押込みに伴う抵抗を低減するすることを特徴とする冷凍ショーケース。
【発明の詳細な説明】
【０００１】
【発明の属する技術分野】
本発明は，長尺の化粧枠体と断熱枠体とを容易に係合又は当該係合解除を行うことが可能な冷凍ショーケースに関する。
【０００２】
【従来の技術】
従来，冷凍商品等を貯蔵する冷凍ショーケースとして，実公平８−１４３１号公報にかかるものがある。
【０００３】
当該公報にかかる冷凍ショーケースは，外ケースと内ケースとを有し，各ケース間に断熱材が内装されて断熱層を形成している。そして内ケースは冷凍室になっており，外ケース及び内ケースの上部が枠体により連結されて，商品等を出し入れする商品取出口を形成している。当該商品取出口には，引戸式の蓋が設けられている。
【０００４】
枠体は，内ケースに向って下るように階段状の段差が形成され，当該段差上を蓋の端部がスライドして，当該蓋が開閉されて商品を冷凍室に出し入れできるようになっている。
【０００５】
内ケースの下部には，圧縮機等の冷凍装置を構成する物品が収納され，また断熱材側の外ケース側面に凝縮器が設けられると共に，断熱材側の内ケース側面に蒸発器が設けられている。
【０００６】
そして，圧縮機で断熱圧縮された冷媒は，外ケースを介して大気に放熱して液化し，当該液化した冷媒が減圧装置により減圧されて蒸発器内で蒸発気化する。これにより内ケースが冷却されて冷凍室として作用するようになっている。
【０００７】
このとき，蓋及び枠体は，冷凍室の冷気により冷されるため，これらに付着した水滴が凍結して，蓋が開閉しないようになる場合がある。そこで，かかる事態を防止するために，圧縮機から凝縮器に供給される高温ガスを導く配管が当該枠体に接して配管されている。
【０００８】
【発明が解決しようとする課題】
しかしながら，上記構成では，枠体の外観を装うために，化粧部材が設けられ，当該化粧部材がネジ等により外ケースに取付けられるので，当該ネジが外部から見え，外観を損う問題があった。無論，かかる場合には，ネジ等を覆う部材を設けることも可能であるが，このような場合には枠体等の取外しが面倒になる問題がある。
【０００９】
そこで本発明は，外観を化粧する部材を設ける際に，ネジ等を用いることなく当該部材の脱着を容易にした冷凍ショーケースを提供することを目的とする。
【００１０】
【課題を解決するための手段】
上記課題を解決するために，請求項１にかかる発明は，上部が開口された外ケースと，該外ケースの内部に配設されて，上部開口された内ケースと，外ケースと内ケースとを断熱的に連結して，商品取出口を形成する，射出成形された横枠体と押出し成形された縦枠体とからなる断熱枠体と，該断熱枠体の外観部分を装う化粧枠体と，化粧枠体の長手方向に沿って，当該化粧枠体に設けられた係合手段と，縦枠体の長手方向に沿って，当該縦枠体に設けられ，その断面が外ケース側に開口した開口部を備えて，係合手段に押込み挿入されることにより化粧枠体と縦枠体とを係合させ，かつ，当該押込みを行う際に開口部が弾性変形して当該押込みに伴う抵抗を低減する被係合手段と，前記断熱枠体により形成された商品取出口を開閉する蓋と，内ケースを冷凍室として作用させる冷凍装置とを有することを特徴とする。
つまり、縦枠体６４における化粧枠体係合部６６を段差部６５から分岐して形成された上係合部８３と下係合部８４とにより構成し，かつ，これらが外ケース１側に向って開口するように開口部８５を設けている。
これにより，化粧枠体６２を挿入した際には，上係合部８３及び下係合部８４が上下に撓むことができ，摩擦抵抗を低減すると共に，爪が途中でひかかったりすることがないようにしている。
【００１１】
即ち，内ケースと外ケースとを断熱枠体により断熱的に連結し，外部から見える当該断熱枠体を装うように化粧枠体を設ける。その際，化粧枠体の長手方向に沿って係合手段を設け，断熱枠体の長手方向に沿って被係合手段を設ける。断熱枠体のうち縦枠体の被係合手段には，外ケースに向って開口した開口部を設け，化粧枠体を縦枠体に係合する際には，化粧枠体の係合手段を縦枠体の被係合手段に押込み挿入する。そのとき，開口部が弾性変形することにより，化粧枠体の押込み抵抗が大きくならないようにしたことを特徴とする。
【００１２】
【発明の実施の形態】
本発明の実施の形態を図を参照して説明する。図１は本発明にかかる冷凍ショーケースの斜視図であり，図２はその断面図である。また図３は冷凍装置の構成を示す図である。
【００１３】
冷凍ショーケースは，ケースの外観をなす上部開口した外ケース１と，該外ケース１の内部に配設され，上部開口した内ケース２，該内ケース２と外ケース１との間に配設された発泡ウレタン等からなる断熱材３，外ケース１と内ケース２との上端部を断熱的に連結する枠体４，冷凍ショーケースの上部開口部に設けられた引戸式の蓋５，圧縮機６や凝縮器７等からなる冷凍装置８等を有して，当該冷凍装置８により内ケース２を冷却して冷凍室として作用させて商品の保冷を行うようになっている。
【００１４】
冷凍装置８は，図２及び図３に示すように，内ケース２の下部に設けられた仕切板９の下に設けられて，冷媒を断熱圧縮する圧縮機６，枠体４に接して設けられて，当該枠体４に付着している水滴等が凍結しないように，供給された高温ガスの熱により当該枠体４を加温する枠体加温器１０，断熱材３側の外ケース１側面に密着して設けられて，供給された冷媒の熱を当該外ケース１を介して大気に放出して液化させる凝縮器７，液化された冷媒中に含まれる水分を除去する乾燥器１１，液化した冷媒を減圧するキャピラリーチューブ等の減圧装置１２，断熱材３側の内ケース２側面に密着して設けられて，供給された低温ガスにより内ケース２を冷却し，これにより当該内ケース２を冷凍室として作用させる蒸発器１３等を有している。なお，図３における矢印は冷媒の循環方向を示している。
【００１５】
図４は，図１における矢視ＡＡ断面を示し，また，図５（ａ）は後述する化粧枠体の断面図，図５（ｂ）は化粧枠体がない図４に相当する部分断面図である。
【００１６】
枠体４は，塩化ビニール等の熱伝導度の小さい部材からなる断熱枠体６１と，当該断熱枠体６１の上部に設けられて，断熱枠体６１の外観を装う化粧枠体６２とからなり，断熱枠体６１は，射出成形によりコーナ部が一体に形成された横枠体６３と，押出成形により形成されて，横枠体６３と接続部で接続された縦枠体６４とからなっている（図６参照）。
【００１７】
なお，化粧枠体６２は，軽量，かつ，傷が着きにくいアルミニューム等の部材を押出し成形して形成されている。
【００１８】
図５（ａ）に示すように，化粧枠体６２は，枠体４側に開口して内部が空洞８９となっている上面化粧部８８と，外ケース１側の側面を覆うように設けられた側面化粧部９０とを有している。
【００１９】
そして，上面化粧部８８の開口端部には，互いに向い合うように形成された内爪９１及び外爪９２が設けられ，側面化粧部９０には断面Ｌ字状の下爪９３が立設されている。
【００２０】
横枠体６３及び縦枠体６４は，外ケース１から内ケース２に向って下る階段状に形成されて，蓋５がスライドする摺動面６８，６９を成す段差部６５及び化粧枠体６２が係合される化粧枠体係合部６６を有している。
【００２１】
そして，段差部６５の最下段の端部には，断熱枠体６１と内ケース２とを係合させる内ケース係合部６７が設けられ，化粧枠体係合部６６の下部には，両面テープ等の接着手段７２が設けられて，当該接着手段７２により断熱枠体６１を外ケース１に接着している。
【００２２】
また，縦枠体６４の段差部６５における，最上段の水平面は，上蓋５ａがスライドする摺動面６８を成し，中段の水平面は，下蓋５ｂがスライドする摺動面６９を成している。
【００２３】
図４及び図５（ｂ）に示すように，縦枠体６４における化粧枠体係合部６６は，段差部６５から分岐して延設された上係合部８３と下係合部８４とからなり，これらが外ケース１側に開口部８５を形成するように設けられている。
【００２４】
上係合部８３の端部には，外ケース１側に当接片８６が形成され，内ケース２側に外ケース１に向って窪んだ内溝８７が形成されている。さらに，下係合部８４の端部には，上方に向って窪んだ下溝９４が形成されている。
【００２５】
そして，縦枠体６４と化粧枠体６２との係合は，当接片８６に外爪９２が当接し，内溝８７に内爪９１が挿嵌し，下溝９４に下爪９３が挿嵌することにより行われる。
【００２６】
なお，当接片８６は，上面化粧部８８に設けられた空洞８９内に挿入されて，当該当接片８６の側面と外爪９２の側面とが面接触している。
【００２７】
ところで，断熱枠体６１を横枠体６３と縦枠体６４とに分けて構成したのは，需要の多様化により，要求される冷凍ショーケースの大きさもユーザにより異なる場合があり，かかる場合に，その都度，部材を設計し製造していたのでは，部材のコストが高くなり，ひいては冷凍ショーケースのコスト上昇を招いてしまう問題に対処するためである。
【００２８】
即ち，部材の汎用化を図り，コストの低減を可能にするために，複雑な構成（例えば，コーナ部や溝）を有する部分は，射出成形により製造し，一様な断面構造の部分は押出成形により製造して，当該押出成形により製造された部材を汎用部材として用いている。
【００２９】
上記構成に基づき，本発明に係る冷凍ショーケースの概略的な組立手順は，以下のように行われる。まず，凝縮器７が取付けられた外ケース１と，蒸発器１３が取付けられた内ケース２とが断熱枠体６１により連結される。そして断熱材３が充填され，その後圧縮機６等が配設されて完了する。
【００３０】
このとき断熱枠体６１のうち，押出し成形による縦枠体６４は，汎用部材を所定の長さに切出して用いられる。断熱枠体６４による外ケース１と内ケース２との連結は，内ケース２の開口端部を断熱枠体６１の内ケース係合部６７に挿入して係合させ，また断熱枠体６１の外ケース接合面を接着手段７２により外ケース１に接着させることにより行う。
【００３１】
そして，化粧枠体６２を縦枠体６４に装着するときは，図６に示すように，内溝８７に内爪９１，当接片８６に外爪９２，下溝９４に下爪９３をそれぞれ挿入し又は当接させて，化粧枠体６２を縦枠体６４の端部から挿入し，徐々に押込むことにより行われる。
【００３２】
なお，縦枠体６４は一般に長尺である場合が多く，この場合に化粧枠体６２を押込むことが困難になる場合がある。
【００３３】
即ち，当接片８６，内溝８７，下溝９４と，外爪９２，内爪９１，下爪９３との相対的な形成位置に，大きなマージンを見込むと化粧枠体６２が「ガタツク」ので，マージンを小さくする必要があるが，この場合には，化粧枠体６２との摩擦抵抗が大きくなったり，また途中でひかかる等の障害が生じやすい。
【００３４】
そこで，本発明では，縦枠体６４における化粧枠体係合部６６を段差部６５から分岐して形成された上係合部８３と下係合部８４とにより構成し，かつ，これらが外ケース１側に向って開口するように開口部８５を設けている。
【００３５】
これにより，化粧枠体６２を挿入した際には，上係合部８３及び下係合部８４が上下に撓むことができ，摩擦抵抗を低減すると共に，爪が途中でひかかったりすることがないようにしている。
【００３６】
次に，このようにして構成された，冷凍ショーケースの動作を説明する。冷媒は，圧縮機６により断熱圧縮されて高温ガスとなり，枠体加温器１０に送られる。これにより枠体４は，加温されて結露等により付着した水滴の凍結が防止され，摺動面６８，６９が凍結して蓋５が動かなくなることがなくなる。
【００３７】
その後，冷媒は凝縮器７に送られ，外ケース１を介して熱を外気に放出することにより液化する。液化冷媒は，乾燥器１１で水分が除去されて，減圧装置１２により減圧され蒸発器１３に送られ，当該蒸発器１３内で蒸発気化して内ケース２を冷却する。これにより，当該内ケース２を冷凍室として作用させる。
【００３８】
【発明の効果】
以上説明したように，本発明によれば，化粧枠体の長手方向に沿って係合手段を設け，また縦枠体の長手方向に沿って，断面が外ケース側に開口した開口部を持つ被係合手段を設けて，化粧枠体を縦枠体に対してスライドさせることにより，これらを係合するようにしたので，縦枠体が長尺ものであっても，開口部が弾性変形することにより摩擦抵抗を低減させることが可能になって，化粧枠体の挿着が容易になる。
【図面の簡単な説明】
【図１】本発明の実施の形態の説明に適用される冷凍ショーケースの外観斜視図である。
【図２】図１にかかる冷凍ショーケースの断面図である。
【図３】冷凍装置の構成を示す図である。
【図４】縦枠体を含む図１における矢視ＡＡ断面である。
【図５】（ａ）は化粧枠体の断面図，（ｂ）は化粧枠体がない図４に相当する部分断面図である。
【図６】化粧枠体の装着方法を示す図である。
【符号の説明】
１  外ケース
２  内ケース
３  断熱材
４  枠体
８  冷凍装置
６１  断熱枠体
６２  化粧枠体
６３  横枠体
６４  縦枠体
６５  段差部
６７  化粧枠体係合部
８３  上係合部
８４  下係合部
８５  開口部
８６  当接片
８７  内溝
９１  内爪
９２  外爪
９３  下爪
９４  下溝
【図１】
0003604858.tif 000002
【図２】
0003604858.tif 000003
【図３】
0003604858.tif 000004
【図４】
0003604858.tif 000005
【図５】
0003604858.tif 000006
【図６】
0003604858.tif 000007